(57)【特許請求の範囲】
【請求項１】
メールを送受信する通信部と、
表示部と、
予め作成した減電メッセージを登録した記憶部と、
入力部により入力された文字と前記文字の変換候補を前記表示部へ表示する文字列編集部と、
前記文字列編集部に入力された文字に応じた変換候補を取得する予測変換制御部と、
電池残量の状態を判定する電池残量判定部と、を備えた通信端末装置であって、
前記予測変換制御部は、前記電池残量判定部が電池残量値を第１規定値以下と判断すると、前記減電メッセージを前記記憶部より取得して変換候補へ加えることを特徴とした通信端末装置。
【請求項２】
前記減電メッセージは前記記憶部に複数登録され、前記予測変換制御部が複数の減電メッセージを取得し変換候補に加えることを特徴とする請求項１に記載の通信端末装置。
【請求項３】
前記文字列編集部は、操作者が前記減電メッセージを前記変換候補のうちから選択し確定させると、前記文字列編集部で編集中の文字を削除して前記減電メッセージを前記表示部に表示することを特徴とする請求項１又は２に記載の通信端末装置。
【請求項４】
前記電池残量判定部は、前記電池残量値が前記第１規定値以下の場合に残量低と判定し、前記電池残量値が前記第１規定値よりも多く第２規定値以下の場合に残量中と判定し、
前記予測変換制御部は、電池残量が前記残量低の場合に前記減電メッセージを前記変換候補の第１候補とし、電池残量が前記残量中の場合に前記減電メッセージを前記変換候補の第２候補以降とすることを特徴とする請求項１乃至３のいずれか一項に記載の通信端末装置。
【請求項５】
前記文字列編集部で編集中の文章を解析する文書解析部を更に備え、
該文書解析部は、前記文字列編集部に表示された文書の文末から文の形態を解析するとともに解析結果を文書入力形態として前記予測変換制御部へ通知し、
前記予測変換制御部は、前記文書入力形態が通知されると、前記文書入力形態に応じた前記減電メッセージを取得することを特徴とする請求項２乃至４のいずれか一項に記載の通信端末装置。
【請求項６】
複数の減電メッセージのうちから減電メッセージを抽出する際の選択基準となる選択基準パラメータを設定するパラメータ設定部と、
前記選択基準パラメータに関連する用語を管理する用語辞書とを更に備え、
前記予測変換制御部は、前記選択基準パラメータが設定されると、前記選択基準パラメータに関連する用語を前記用語辞書から取得するとともに前記用語を含んだ減電メッセージを取得することを特徴とする請求項２乃至５のいずれか一項に記載の通信端末装置。
【請求項７】
複数の減電メッセージのうちから減電メッセージを抽出する際の選択基準となる選択基準パラメータを設定するパラメータ設定部を更に備え、
前記減電メッセージは、前記選択基準パラメータに関連付けして前記記憶部に登録され、
前記予測変換制御部は、前記選択基準パラメータが設定されると、前記選択基準パラメータに関連する減電メッセージを取得することを特徴とする請求項２乃至５のいずれか一項に記載の通信端末装置。
【請求項８】
メールを送受信する通信部と、
表示部と、
予め作成した減電メッセージを登録した記憶部と、
入力部により入力された文字と前記文字の変換候補を前記表示部へ表示する文字列編集部と、
前記文字列編集部に入力された文字に応じた変換候補を取得する予測変換制御部と、
電池残量の状態を判定する電池残量判定部と、
を備えた通信端末装置において用いられるメール作成方法であって、
前記予測変換制御部は、前記電池残量判定部が電池残量値を規定値よりも低いと判断すると、前記減電メッセージを前記記憶部より取得して変換候補へ加えることを特徴とするメール作成方法。
【請求項９】
請求項８に記載のメール作成方法をコンピュータに実行させるためのメール作成プログラム。
【発明の詳細な説明】
【技術分野】
【０００１】
本発明は、通信端末装置に関し、具体的にはメール送信機能を有する通信端末装置に関する。
【背景技術】
【０００２】
近年の携帯電話機は、移動中や仕事中など、受信したメールに対して直ちに返信を行いたい場合に、簡単な操作で直ちに返信メールを送信することができる機能を有している。
例えば、携帯電話機は、クイック返信機能を有している。このクイック返信機能とは、受信したメールが表示された画面で所定の操作を行うと、予め用意された返信用の定型文（例えば、「了解しました。」、「今、移動中です。」等）の一覧が画面に表示され、操作者が受信したメールの内容に応じた定型文を選択すると、その定型文が入力された返信メールが送信される機能である。このクイック返信機能は、簡単な操作で直ちに返信メールを送信することができる。【０００３】
例えば、特許文献１には、メール受信した際に、特定のボタンを所定の時間、押下することにより予め登録された文章が表示され、それを選択してメールを送信することができる携帯電話機が提案されている。【０００４】
特許文献１に係る携帯電話機は、簡単な操作で直ちに返信メールを送信することができるため、メール受信時に携帯電話機の電池残量が少なくなっている場合、携帯電話機が電池切れを起こす前にメールを返信することができる。
【先行技術文献】
【特許文献】
【０００５】
【特許文献１】特開２００５−２０６１３
【発明の概要】
【発明が解決しようとする課題】
【０００６】
しかしながら、特許文献１に係る携帯電話機は、メールの作成中において電池残量が残り僅かとなった場合に前述した機能を使用しようとすると、一度メールの作成を中止し、着信履歴等を利用して所定の操作を行う必要があり、操作が煩雑であった。【０００７】
そこで、本発明は、メールの作成中において電池残量が減った場合に、メール作成処理を中断することなく簡単な操作で返信メールを作成することができる通信端末装置を提供することを目的とする。
【課題を解決するための手段】
【０００８】
上記課題を解決するために、本発明の第１の技術手段は、メールを送受信する通信部と、表示部と、予め作成した減電メッセージを登録した記憶部と、入力部により入力された文字と前記文字の変換候補を前記表示部へ表示する文字列編集部と、前記文字列編集部に入力された文字に応じた変換候補を取得する予測変換制御部と、電池残量の状態を判定する電池残量判定部と、を備えた通信端末装置であって、前記予測変換制御部は、前記電池残量判定部が電池残量値を第１規定値以下と判断すると、前記減電メッセージを前記記憶部より取得して変換候補へ加えることを特徴としたものである。【０００９】
第２の技術手段は、第１の技術手段において、前記減電メッセージは前記記憶部に複数登録され、前記予測変換制御部が複数の減電メッセージを取得し変換候補に加えることを特徴としたものである。【００１０】
第３の技術手段は、第１又は第２の技術手段において、前記文字列編集部は、操作者が前記減電メッセージを前記変換候補のうちから選択し確定させると、前記文字列編集部で編集中の文字を削除して前記減電メッセージを前記表示部に表示することを特徴としたものである。
【００１１】
第４の技術手段は、第１〜第３のいずれかの技術手段において、前記電池残量判定部は、前記電池残量値が前記第１規定値以下の場合に残量低と判定し、前記電池残量値が前記第１規定値よりも多く第２規定値以下の場合に残量中と判定し、前記予測変換制御部は、電池残量が前記残量低の場合に前記減電メッセージを前記変換候補の第１候補とし、電池残量が前記残量中の場合に前記減電メッセージを前記変換候補の第２候補以降とすることを特徴とすることを特徴としたものである。【００１２】
第５の技術手段は、第２〜第４のいずれかの技術手段において、前記文字列編集部で編集中の文章を解析する文書解析部を更に備え、該文書解析部は、前記文字列編集部に表示された文書の文末から文の形態を解析するとともに解析結果を文書入力形態として前記予測変換制御部へ通知し、前記予測変換制御部は、前記文書入力形態が通知されると、前記文書入力形態に応じた前記減電メッセージを取得することを特徴としたものである。【００１３】
第６の技術手段は、第２〜第５のいずれかの技術手段において、複数の減電メッセージのうちから減電メッセージを抽出する際の選択基準となる選択基準パラメータを設定するパラメータ設定部と、前記選択基準パラメータに関連する用語を管理する用語辞書とを更に備え、前記予測変換制御部は、前記選択基準パラメータが設定されると、前記選択基準パラメータに関連する用語を前記用語辞書から取得するとともに前記用語を含んだ減電メッセージを取得することを特徴としたものである。【００１４】
第７の技術手段は、第２〜第５のいずれかの技術手段において、複数の減電メッセージのうちから減電メッセージを抽出する際の選択基準となる選択基準パラメータを設定するパラメータ設定部を更に備え、前記減電メッセージは、前記選択基準パラメータに関連付けして前記記憶部に登録され、前記予測変換制御部は、前記選択基準パラメータが設定されると、前記選択基準パラメータに関連する減電メッセージを取得することを特徴としたものである。【００１５】
第８の技術手段は、メールを送受信する通信部と、表示部と、予め作成した減電メッセージを登録した記憶部と、入力部により入力された文字と前記文字の変換候補を前記表示部へ表示する文字列編集部と、前記文字列編集部に入力された文字に応じた変換候補を取得する予測変換制御部と、電池残量の状態を判定する電池残量判定部と、を備えた通信端末装置において用いられるメール作成方法であって、前記予測変換制御部は、前記電池残量判定部が電池残量値を規定値よりも低いと判断すると、前記減電メッセージを前記記憶部より取得して変換候補へ加えることを特徴としたメールの作成方法である。【００１６】
第９の技術手段は、第８の技術手段であるメール作成方法をコンピュータに実行させるためのメール作成プログラムである。
【発明の効果】
【００１７】
本発明によれば、メール作成中に、電池残量判定部が電池残量値を規定よりも低いと判断すると、予測変換制御部が予め作成された減電メッセージを取得して変換候補へ加える。よって、操作者は、減電メッセージを選択することにより、メール作成処理を中断することなく簡単な操作で返信メールを作成することができる。
【図面の簡単な説明】
【００１８】
【図１】本発明に係る携帯電話機を示す外観図である。
【図２】本発明に係る携帯電話機のブロック図である。
【図３】電池残量判定部のフローチャート図である。
【図４】予測変換制御部のフローチャート図である。
【図５】電池残量が第１規定値より多い場合の画面遷移図である。
【図６】電池が減電状態である場合の画面遷移図である。
【図７】電池残量判定部の別の処理パターンを示すフローチャート図である。
【図８】予測変換制御部の別の処理パターンを示すフローチャート図である。
【図９】電池残量判定部のフローチャート図である。
【図１０】予測変換制御部のフローチャート図である。
【図１１】減電メッセージを複数登録する処理の画面遷移図である。
【図１２】文書入力形態に応じた減電メッセージが表示される様子を示す図である。
【図１３】パラメータに応じた減電メッセージが表示される様子を示す図である。
【図１４】パラメータに応じた減電メッセージが表示される様子を示す図である。
【図１５】電池残量に応じて候補位置を変えて表示する様子を示す図である。
【図１６】メール本文の調整処理が行われる様子を示す図である。
【発明を実施するための形態】
【実施例１】
【００１９】
図１乃至図２を参照して、本発明の実施例１に係る通信端末装置である携帯電話機１を説明する。図１は、携帯電話機１の外観図である。図２は、携帯電話機１の構成を示すブロック図である。
図１に示す通り、携帯電話機１は、入力部１１と、表示部１２と、マイク部１３と、スピーカ部１４と、を有している。そして、図２に示す通り、携帯電話機１は、図１で説明したものの他、ＣＰＵ１５と、記憶部１６と、電池１７とを有している。【００２０】
入力部１１は、文字キー１１Ａと、選択キー１１Ｂ、確定キー１１Ｃ等を有している。文字キー１１Ａは複数設けられ、電話番号の入力や電子メールの文字入力等を行うことができる。選択キー１１Ｂは、表示部１２に表示されるリスト上でカーソルを移動させ項目を選択することができる。確定キー１１Ｃは、選択キー１１Ｂによりカーソル移動された項目の選択を確定する。なお、入力部１１は、タッチパネルを使用しても良い。【００２１】
表示部１２は、図１に示す通り、電子メール等の文章入力時等に画面が上下に分割される。表示部１２は、その上段に文章表示領域１２Ａが表示され、その下段に変換候補表示領域１２Ｂが表示される。文章表示部１２は、文章入力時に文字キー１１Ａにより入力された文字列やこれを文字変換して作成された文章が表示される。変換候補表示部１２Ｂは、必要に応じて表示され、文字キー１１Ａにより入力された文字列の変換候補を表示することができる。表示部１２は、例えば、液晶パネルや有機ＥＬパネルで構成されている。【００２２】
マイク１３は、通話時の送話を行うものである。スピーカ１４は、通話時の受話を行うものである。
記憶部１６は、ＲＯＭ１８やＲＡＭ１９といったメモリで構成されている。ＲＯＭ１８は、フラッシュＥＥＰＲＯＭを含み各種のデータやプログラム等を記憶する。ＲＯＭ１８には、変換候補情報を管理するかな漢字変換辞書３２と減電メッセージを格納する減電メッセージ辞書３３とが記憶されている。ＲＡＭ１９は、各種のデータを一時的に記憶し、ワークエリアとして用いられる。
電池１７は、携帯電話機１の各部に電力を供給する。【００２３】
ＣＰＵ１５は、携帯電話機１の本体を総括的に制御する制御手段として機能する中央処理装置である。ＣＰＵは、ＲＯＭ３２に格納されたプログラムをＲＡＭ１９に読み込ませて実行させる一種のコンピュータである。ＣＰＵ１５の機能は、通信部２１と、メール部２２と、文字列編集部２３と、電池残量計測部２４と、電池残量判定部２５と、予測変換制御部２６と、減電メッセージ登録部２７と、文書解析部２８と、アドレス帳設定部２９と、スケジュール設定部３０と、パラメータ設定部３１と、を有している。【００２４】
通信部２１は、基地局と通信を行って電話やメールを送受信する。
メール部２２は、メールの作成を行うことができ、メールを通信部２１を介して送受信することができる。なお、メールの本文は、文字列編集部２３を起動することにより作成する。【００２５】
文字列編集部２３は、メール部２２でメールの本文を作成する際、起動され、入力部１１により入力された文字を表示部１２に表示させて編集することができる。文字列編集部２３は、文字キー１１Ａにより文字が入力されると、その文字情報を予測変換制御部２６へ通知する。この通知を以後、文字情報通知と呼ぶ。そして、文字列編集部２３は、予測変換制御部２６から変換候補を取得した旨の通知である変換候補取得通知を受けるとＲＡＭ１９上に保持された変換候補を表示部１２の変換候補領域１２Ｂへ表示させる。【００２６】
電池残量計測部２４は、定期的に公知の手段で電池残量を測定するとともに電池残量判定部２５へ電池残量を測定した旨を通知する。また、電池残量計測部２４は、測定した電池残量値をＲＡＭ１９上に保持する。【００２７】
電池残量判定部２５は、所定の条件でＲＡＭ１９上に記憶された電池残量値を読み込む。そして、電池残量判定部２５は、電池残量値が第１規定値以下の場合、電池残量のレベルを残量低と判定し、電池残量値が第１規定値より多く第２規定値以下の場合、電池残量のレベルを残量中と判定し、電池残量値が第２規定値より多い場合、残量高と判定する。そして、電池残量判定部２５は、予測変換制御部２６に対して上記の電池残量レベルを電池状態通知によって知らせる。なお、予測変換制御部２６に対して電池状態通知によって知らせる方法で説明したがこれに限定されるものでなく、電池の残量が第１規定値以下であることを表す減電状態フラグによって知らせても良い。【００２８】
予測変換制御部２６は、文字列編集部２３の起動に応じて起動される。文字列編集部２３から文字情報通知がされるとこれに応じた変換候補を取得するとともにＲＡＭ１９上に保持し、変換候補を取得した旨を文字列編集部２３へ通知する。この通知を以下、変換候補取得通知と呼ぶ。また、予測変換制御部２６は、電池残量のレベルが残量低若しくは残量中となった場合、変換候補に予め作成した減電メッセージを追加する。ここで、減電メッセージとは、電池残量がないため受信したメールに対しすぐに応答ができない旨を伝える予め作成された文章である。【００２９】
減電メッセージ登録部２７は、減電メッセージを減電メッセージ辞書３３へ登録することができる。なお、減電メッセージ登録部２７は、減電メッセージを後述する減電メッセージ選択基準パラメータに関連付けして登録することもできる。
文書解析部２８は、文字列編集部２３の編集中の文章における読点の位置を特定する。そして、文書解析部２８は、読点の前が「ですます調」であるか否かを判断し、編集中の文章の読点の前が「ですます調」である場合、文章入力状態がですます調状態であると予測変換制御部２６へ文書入力形態通知を行う。【００３０】
アドレス帳設定部２９は、登録者毎にメールアドレス、電話番号、ジャンルを設定することができる。ジャンルは、友達、ビジネス、等を設定することができる。
スケジュール帳設定部３０は、日毎にスケジュールを設定することができる。例えば、外出、旅行、等を設定することができる。【００３１】
パラメータ設定部３１は、減電メッセージ選択基準パラメータを設定することができる。減電メッセージ選択基準パラメータは、複数の減電メッセージのうちから減電メッセージ選択基準パラメータに応じた減電メッセージを抽出する際の選択基準となるものである。減電メッセージ選択基準パラメータは、例えば、「時刻」、「ビジネス」、「友達」、「外出」、「旅行」を設定することができる。
ここで、記憶部１６には、選択基準パラメータに関連する用語を管理する用語辞書（不図示）が記憶されている。予測変換制御部２６は、減電メッセージ選択基準パラメータが渡されて設定されると、減電メッセージ選択基準パラメータに関連する用語を用語辞書から取得する。例えば、選択基準パラメータに「時刻」が設定されると、予測変換制御部２６は、用語辞書から「時刻」に関連する用語、例えば、「朝・昼・夜・正午・時・分…」を取得する。そして、予測変換制御部２６は、複数の減電メッセージのうちから取得した用語を含む減電メッセージを抽出する。【００３２】
図２乃至図４を用いて、予測変換制御部２６によって減電メッセージを取得する処理を説明する。図３は、電池残量判定部２５の処理を示すフローチャート図である。図４は、予測変換制御部２６の処理を示すフローチャート図である。【００３３】
図３を参照して、電池残量判定部２５の処理フローを説明する。電池残量判定部２５は、起動されるとタイマを起動させて（ステップＳ１）、イベント待ち状態となる（ステップＳ２）。
電池残量判定部２５は、イベントが発生すると、自身が起動したタイマの満了イベントか電池残量計測部２４からの通知イベントかのいずれかであるか否かを判定し（ステップＳ３）、いずれかのイベントに該当する場合、電池残量値をＲＡＭ１９上から取得し（ステップＳ４）、ステップＳ５へ進む。なお、電池残量値は、電池残量計測部２４が測定しＲＡＭ１９上に記憶させたものである。
ステップＳ３において、発生イベントが、タイマ満了イベント、電池残量計測部２４からの通知イベントのいずれでもない場合は、再びイベント待ち状態となる（ステップＳ２）。【００３４】
ステップＳ５では、電池残量が第１規定値以下であるか否かの判断を行う。電池残量が第１規定値以下の場合は、減電状態通知の減電状態レベルを残量低に設定し（ステップＳ６）、予測変換制御部２６に減電状態通知を行い（ステップＳ７）、再びタイマを起動させ（ステップＳ１）、イベント待ち状態へ戻る（ステップＳ２）。
ステップＳ５において、電池残量が第１規定値より多い場合は、何もせずに再びタイマを起動させ（ステップＳ１）、イベント待ち状態へ戻る（ステップＳ２）。【００３５】
図４を参照して予測変換制御部２６の処理フローを説明する。予測変換制御部２６は、起動されると、文字列編集部２３からの文字入力通知イベントと、電池残量判定部２５からの電池状態通知イベントと、を待つイベント待ち状態となる（ステップＳ１１）。予測変換制御部２６は、イベントが発生すると、そのイベントが電池状態通知イベントか否かを判定する（ステップＳ１２）。【００３６】
ステップＳ１２において、イベントが電池残量判定部２５からの電池状態通知イベントである場合は、ステップＳ１３へ進み、減電状態レベルが残量低であるか否かを判定する（ステップＳ１３）。減電状態レベルが残量低である場合は、ＲＡＭ１９上に減電状態フラグをセットし（ステップＳ１４）、再びイベント待ち状態となる（ステップＳ１１）。以後、予測変換制御部２６は、減電状態フラグがリセットされるまで、電池が第１所定値以下であると判断し、文書編集時において変換候補に減電メッセージを加える処理を行う。【００３７】
ステップＳ１３において、減電状態レベルが残量低でない場合、すなわち、電池残量が第１規定値より多い場合は、減電状態フラグをリセットする（ステップＳ１５）。この場合、予測変換制御部２６は、電池が第１所定値より多い、すなわち、メールを作成し送信するだけの十分な電池残量があるものと判断し、文書編集時において変換候補に減電メッセージを加えることはない。【００３８】
ステップＳ１２において、イベントが電池状態通知イベントでない場合、すなわち文字入力イベントである場合は、ステップＳ１６へ進む。予測変換制御部２６は、文字情報通知を受けると、その文字情報に応じた変換候補をかな漢字変換辞書３２から取得し（ステップＳ１６）、その変換候補をＲＡＭ１９上に保持し（ステップＳ１７）、ステップＳ１８へ進む。【００３９】
ステップＳ１８では、減電状態フラグがセットされているか否かが判断される。減電状態フラグがセットされている場合は、減電メッセージ辞書３３から減電メッセージを取得し（ステップＳ１９）、先の変換候補が保持されたＲＡＭ１９上に減電メッセージが第１候補となるように追加して保持させ（ステップＳ２０）、文字列編集部２３へ候補取得通知を行い（ステップＳ２１）、再びイベント待ち（ステップＳ２１）へ戻る。
ステップＳ１８で減電状態フラグがセットされていない場合は、文字列編集部２３へ候補取得通知を行い（ステップＳ２１）、再びイベント待ち（ステップＳ２１）へ戻る。【００４０】
図１〜図６を参照しながら、電池残量が第１規定値より多い場合すなわち減電状態でない場合と電池残量が第１規定値以下すなわち減電状態である場合とを表示部１２に表示される様子を示しながら説明する。図５は、電池残量が第１規定値より多い場合の画面遷移図である。図６は、電池が減電状態である場合の画面遷移図である。【００４１】
まず、電池残量が第１規定値より多い場合を説明する。図５の画面５１は、文字列編集部２３によって表示された表示部１２を示している。ここでは、「鬼怒川」を入力する場合を例に挙げて説明する。まず、入力部１１によって、文字列編集部２３に、「き」を入力する。
この場合は、予測変換制御部２６で文字入力通知イベントが発生し（ステップＳ１１）ステップＳ１２へ進む。ステップＳ１２では、発生したイベントが電池状態通知イベントではないと判断され、ステップＳ１６へ進む。ステップＳ１６では、入力情報すなわち「き」に応じた変換候補「希望  起業  期間  …  」を取得する。そして、当該情報をＲＡＭ１９上に保持し（ステップＳ１７）ステップＳ１８へ進む。ステップＳ１８では、減電状態でないので、ステップＳ２１へ進む。そして、ステップＳ２１では、文字列編集部２３へ候補取得通知を行う。
文字列編集部２３は、候補取得通知を受けると、画面５２に示す通り、ＲＡＭ１９上に保持された変換候補を表示部１２の変換候補表示領域１２Ｂに表示させる。【００４２】
続けて入力部１１によって文字列編集部２３に、「ぬ」が入力されると、同様の処理が行われ、画面５３に示す通り、「きぬ」に対応した変換候補「鬼怒川  絹  気抜け  …  」が変換候補表示領域１２Ｂに表示される。このあと、変換候補のうちから「鬼怒川」を選択キー１１Ｂにより選択し、確定キー１１Ｃを押下すると「鬼怒川」が確定する。その後、画面５４に示す通り、表示部１２には、予測変換制御部２６によって、確定した入力情報すなわち「鬼怒川」に続くと予測される文字が表示される。【００４３】
次に、文字を編集中に電池が減電状態となった場合を説明する。図６の画面６１は、文字列編集部２３に「き」が入力され、「き」に応じた変換候補「鬼怒川  絹  気抜け  …  」が変換候補表示領域１２Ｂに表示された様子を表している。このとき、電池が減電状態になったとする。【００４４】
電池が減電状態となった場合において、入力部１１により文字列編集部２３に、「ぬ」が入力されると、予測変換制御部２６で文字入力通知イベントが発生し（ステップＳ１１）、電池状態通知ではないと判断され（ステップＳ１２）。ステップＳ１６へ進む。【００４５】
ステップＳ１６では、入力情報すなわち「きぬ」に応じた変換候補「鬼怒川  絹  絹糸  …  」を取得する。そして、この変換候補をＲＡＭ１９上に保持し（ステップＳ１７）ステップＳ１８へ進む。【００４６】
その後、減電状態であると判断され（ステップＳ１８）、減電メッセージ「電池残量がないので、後程、連絡します。」を減電メッセージ辞書３３より取得する（ステップＳ１９）。そして、減電メッセージ「電池残量がないので、後程、連絡します。」は、先の変換候補「鬼怒川  絹  気抜け  …  」が保持されたＲＡＭ１９上に、減電メッセージが第１候補となるように追加して保持させ（ステップＳ２０）、文字列編集部２３へ候補取得通知を行う（ステップＳ２１）。【００４７】
文字列編集部２３は、候補取得通知を受けると、変換候補を表示部１２の変換候補表示領域１２Ｂに表示させる（６２）。その後、変換候補表示領域１２Ｂに表示された変換候補のうちから減電メッセージ「電池残量がないので、後程、連絡します。」を選択キー１１Ｂにより選択し（６３）、確定キー１１Ｃを押下すると、減電メッセージが文字表示領域１２Ａに確定される（６４）。【００４８】
以上により、メール作成中に、電池残量が残り僅かとなった場合は、変換候補に減電メッセージが表示される。操作者は、減電メッセージを選択することにより、簡単な操作で返信メールを作成することができる。【００４９】
図２、図７、図８を用いて、予測変換制御部２６と電池残量判定部２５の別の処理パターンを説明する。図７は、電池残量判定部２５の別の処理パターンを示すフローチャート図である。図８は、予測変換制御部２６の別の処理パターンを示すフローチャート図である。【００５０】
図７を参照して、先に説明した電池残量判定部２５とは別の処理パターンで電池残量を判定する電池残量判定部２５を説明する。電池残量判定部２５は、起動されるとタイマを起動させて（ステップＳ４１）、イベント待ち状態となる（ステップＳ４２）。
電池残量判定部２５は、イベントが発生すると、自身が起動したタイマの満了イベントか、電池残量計測部２４からの通知イベントか、のいずれかであるか否かを判定し（ステップＳ４３）、いずれかのイベントに該当する場合、電池残量値をＲＡＭ１９上から取得（ステップＳ４４）し、ステップＳ４５へ進む。
発生イベントが、タイマ満了イベント、電池残量計測部２４からの通知イベントのいずれでもない場合は、再びイベント待ち状態となる（ステップＳ４２）。【００５１】
ステップＳ４５では、電池残量が第１規定値以下であるか否かの判断を行う。電池残量が第１規定値以下の場合は、ＲＡＭ１９上に減電状態フラグをセットし（ステップＳ４６）、再びタイマを起動させ（ステップＳ４１）、再びイベント待ち状態へ戻る（ステップＳ４２）。
ステップＳ４５において、電池残量が第１規定値より多い場合は、ＲＡＭ１９上の減電状態フラグをリセットし（ステップＳ４５）、タイマを起動させ（ステップＳ４１）、再びイベント待ち状態へ戻る（ステップＳ４２）。【００５２】
図８を参照して、先に説明した予測変換制御部２６とは別の処理パターンで電池残量を判定する予測変換制御部２６を説明する。予測変換制御部２６は、起動されると文字列編集部２３からの文字入力通知イベントを待つイベント待ち状態となる（ステップＳ５１）。予測変換制御部２６は、文字入力通知イベントが発生すると、その入力情報に応じた変換候補をかな漢字変換辞書３２から取得し（ステップＳ５２）、その変換候補をＲＡＭ１９上に保持し（ステップＳ５３）、ステップＳ５４へ進む。【００５３】
ステップＳ５４では、減電状態フラグがセットされているか否かが判断される。減電状態フラグがセットされている場合は、減電メッセージ辞書３３から減電メッセージを取得し（ステップＳ５５）、先の変換候補が保持されたＲＡＭ１９上に減電メッセージが第１候補となるように追加して保持させ（ステップＳ５６）、文字列編集部２３へ候補取得通知を行い（ステップＳ５７）、再びイベント待ち（ステップＳ５１）へ戻る。
ステップＳ５４において、減電状態フラグがセットされていない場合は、文字列編集部２３へ候補取得通知を行い（ステップＳ５７）、再びイベント待ち（ステップＳ５１）へ戻る。
【実施例２】
【００５４】
以下、携帯電話機１の実施例２を説明する。なお、図１及び図２は、実施例１と同じである。【００５５】
図９を参照して、実施例２の電池残量判定部２５を説明する。図９は、電池残量判定部２５のフローチャート図である。
電池残量判定部２５は、起動されるとタイマを起動させて（ステップＳ６１）、イベント待ち状態となる（ステップＳ６２）。
電池残量判定部２５は、イベントが発生すると、タイマの満了イベントか電池残量計測部２４からの通知イベントかのいずれかであるか否かを判定し（ステップＳ６３）、いずれかのイベントに該当する場合、電池残量値をＲＡＭ１９上から取得し（ステップＳ６４）、ステップＳ６５へ進む。
ステップＳ６３において、発生イベントが、タイマ満了イベント、電池残量計測部２４からの通知イベントのいずれでもない場合は、再びイベント待ち状態となる（ステップＳ６２）。【００５６】
ステップＳ６５では、電池残量が第１規定値以下であるか否かの判断を行う。電池残量が第１規定値以下の場合は、減電状態通知の減電状態レベルを残量低に設定し（ステップＳ６６）、予測変換制御部２６に減電状態通知を行い（ステップＳ６７）、再びタイマを起動させ（ステップＳ６１）、再びイベント待ち状態へ戻る（ステップＳ６２）。【００５７】
ステップＳ６５において、電池残量が第１規定値より多い場合は、ステップＳ６８へ進み、電池残量が第１規定値より多い第２規定値以下であるか否かの判断を行う。電池残量が第２規定値以下の場合は、減電状態通知の減電状態レベルを残量中に設定し（ステップＳ６９）、予測変換制御部２６に減電状態通知を行い（ステップＳ６７）、再びタイマを起動させ（ステップＳ６１）、再びイベント待ち状態へ戻る（ステップＳ６２）。【００５８】
ステップＳ６８において、電池残量が第２規定値より多い場合は、ステップＳ７０へ進み、減電状態通知の減電状態レベルを残量高に設定する。そして、予測変換制御部２６に減電状態通知を行い（ステップＳ６７）、再びタイマを起動させ（ステップＳ６１）、再びイベント待ち状態へ戻る（ステップＳ６２）。【００５９】
図２及び図１０を参照して実施例２の予測変換制御部２６のフローを説明する。図１０は、予測変換制御部２６のフローチャート図である。
予測変換制御部２６は、パラメータ設定部３１で減電メッセージ選択基準パラメータが選択されている場合、パラメータ設定部３１より減電メッセージ選択基準パラメータを取得し、減電選択基準パラメータを設定する（ステップＳ７１）。そして、ステップＳ７２へ進む。【００６０】
ステップＳ７２では、文字列編集部２３からの文字入力通知イベントと、電池残量判定部２５からの電池状態通知イベントと、文書解析部２８からの文書入力形態通知イベントと、を待つイベント待ち状態となる（ステップＳ７２）。【００６１】
予測変換制御部２６は、イベントが発生すると、そのイベントが電池状態通知イベントか否かを判定する（ステップＳ７３）。
ステップＳ７３において、イベントが電池残量判定部２５からの電池状態通知イベントである場合は、ＲＡＭ１９上に減電状態レベルをセット（ステップＳ７４）し、再びイベント待ち状態となる（ステップＳ７２）。イベントが電池状態通知イベントでない場合は、ステップＳ７５へ進む。【００６２】
ステップＳ７５では、イベントが文書入力形態通知イベントであるか否かが判断される。イベントが文書入力形態通知イベントである場合は、文書入力形態をセットし（ステップＳ７６)、再びイベント待ち状態となる（ステップＳ７２）。文書入力形態がセットされると、以後、入力中の文書に合った減電メッセージが複数の減電メッセージの中より抽出されるようになる。
イベントが文書入力形態通知イベントでない場合、すなわち、文字入力通知イベントである場合は、ステップＳ７７へ進む。【００６３】
ステップＳ７７では、入力された文字情報に応じた変換候補をかな漢字変換辞書３２から取得する。その後、その変換候補をＲＡＭ１９上に保持し（ステップＳ７８）、ステップＳ７９へ進む。【００６４】
ステップＳ７９では、減電状態レベルが残量高であるか否かが判断される。減電状態レベルが残量高である場合は、文字列編集部２３に変換候補を表示させるため文字列編集部２３に候補取得通知を行い（ステップＳ８８）、再びイベント待ち状態（ステップＳ７２）へ戻る。このフローにおいては、メールを作成し送信するだけの十分な電池残量があるため、減電メッセージを変換候補に追加しない。
ステップＳ７９において、減電状態レベルが残量高でない場合は、減電メッセージ辞書３３から複数の減電メッセージを取得し（ステップＳ８０）、ステップＳ８１へ進む。【００６５】
ステップＳ８１では、文書入力形態が「ですます調」であるか否かが判断される。そして、文書入力形態が「ですます調」に設定されている場合は、先に取得した複数の減電メッセージのうちからですます調の減電メッセージが抽出され（ステップＳ８２）、ステップＳ８３へ進む。
ステップＳ８１において、文書入力形態が「ですます調」に設定されていない場合は、複数の減電メッセージからですます調の減電メッセージを抽出する処理を行わずに、ステップＳ８３へ進む。【００６６】
ステップＳ８３では、減電メッセージ選択基準パラメータが設定されているか否かが判断される。選択基準パラメータが設定されている場合は、複数の減電メッセージのうちから減電メッセージ選択基準パラメータに応じた減電メッセージを抽出し（ステップＳ８４）、ステップＳ８５へ進む。
ステップＳ８３において、減電メッセージ選択基準パラメータが設定されていない場合は、そのままステップＳ８５へ進む。
なお、複数の減電メッセージのうちから減電メッセージ選択基準パラメータに応じた減電メッセージを抽出する処理については、後で詳しく説明する。【００６７】
ステップＳ８５では、減電状態レベルが残量中であるか否かが判断される。減電状態レベルが残量中である場合は、先に取得した変換候補に減電メッセージが２番目以降の候補となるよう加えてＲＡＭ１９上に保持し（ステップＳ８６）、文字列編集部２３に候補取得通知を行う（ステップＳ８８）。この場合は、短い文章なら作成可能なので第１候補とせず減電メッセージを第２候補以降としている。
減電状態レベルが残量中でない場合は、減電状態レベルが残量低であるため、先に取得した変換候補に減電メッセージが先頭候補になるように加えてＲＡＭ１９上に保持し（ステップＳ８６）、文字列編集部２３に候補取得通知を行う（ステップＳ８８）。【００６８】
図２及び図１１を参照しながら、減電メッセージの登録方法を説明する。図１１は、減電メッセージを複数登録する処理の画面遷移図である。
減電メッセージの登録は、減電メッセージ登録部２７によって減電メッセージ辞書３３に登録される。減電メッセージ登録部２７は、例えば、画面１１０で示す携帯電話機１のメニュー画面から「電池切れメール文登録・編集」を選択することによって起動する。そして、画面１１１で示す通り、減電メッセージ登録部２７は、起動すると登録されている減電メッセージの一覧を表示する。メッセージの一覧のうちいずれかを選択すると、画面１１２で示す通り、減電メッセージを編集することができる。上述した通り複数の減電メッセージが登録されていると、メール作成時に電池の減電状態レベルが残量値低となった場合は、画面１１３に示す通り、複数の減電メッセージが表示されることとなる。【００６９】
図２、図１０、図１２を参照しながら、複数の減電メッセージのうちから文書入力形態に応じた減電メッセージが抽出される処理を、電池状態レベルが残量低であり、減電メッセージ選択基準パラメータが選択されていない場合で説明する。図１２は、文書入力形態に応じた減電メッセージが表示される様子を示した図である。
画面１２０は、登録された減電メッセージが表示部１２に表示された様子を示している。すなわち、減電メッセージ辞書３３には、「電池残量がないので、後程、連絡します。」と「電池切れだ。またメールするよ。」のふたつの減電メッセージが登録されている。
文字列編集部２３でですます調の文、例えば、「お疲れ様です。」が入力されると、文書解析部２８は、文章入力状態がですます調状態であると予測変換制御部２６へ文書入力形態通知を行う。【００７０】
予測変換制御部２６は、ステップＳ７２、ステップＳ７３、ステップＳ７５、を経てステップＳ７６へ進み。ステップＳ７６で文書入力形態を「ですます調」にセットし、再びイベント待ちへ戻る（ステップＳ７２）。【００７１】
次に、文字入力通知イベントが発生すると、ステップＳ７２、ステップＳ７３、ステップＳ７５、を経てステップＳ７７へ進み。ステップＳ７７でその文字入力に応じた変換候補を取得し、ステップＳ７８でその変換候補をＲＡＭ１９上に保持する。そして、ステップＳ７９を経て、ステップＳ８０で減電メッセージ「電池残量がないので、後程、連絡します。」と「電池切れだ。またメールするよ。」を取得し、ステップＳ８１へ進む。【００７２】
ステップＳ８１では、文書入力形態がですます調と設定されているため、ステップＳ８２へ進む。ステップＳ８２では、ふたつの減電メッセージのうち「電池残量がないので、後程、連絡します。」と「電池切れだ。またメールするよ。」からですます調である「電池残量がないので、後程、連絡します。」が抽出され、ステップＳ８３へ進む。【００７３】
その後は、ステップＳ８３、ステップＳ８５、ステップＳ８７、ステップＳ８８を経て、再びステップＳ７２へ戻る。以上のような処理が行われると、表示部１２では画面１２１に示す通りに表示される。【００７４】
続いて、図２、図１０、図１３を参照しながら、複数の減電メッセージのうちから減電メッセージ選択基準パラメータに応じた減電メッセージが抽出される処理を、電池状態がレベル低であり、文書入力形態が設定されていない場合で説明する。図１３は、減電メッセージ選択基準パラメータに応じた減電メッセージが表示される様子を示す図である。ここでは、選択基準設定に「ビジネス」が設定されている場合で説明する。【００７５】
画面１３０は、登録された減電メッセージが表示部１２に表示された様子を示している。すなわち、減電メッセージ辞書３３には、「電池がなくなったので、帰ったらメールします。」、「電池切れだ。またメールするよ。」が登録されている。【００７６】
予測変換制御部２６は、文字入力通知イベントが発生すると、ステップＳ７２、ステップＳ７３、ステップＳ７５、を経てステップＳ７７へ進み。ステップＳ７７でその文字入力に応じた変換候補を取得し、ステップＳ７８でその変換候補をＲＡＭ１９上に保持する。そして、ステップＳ７９を経て、ステップＳ８０で前述した減電メッセージを取得し、ステップＳ８１へ進む。ステップＳ８１では、文書入力形態が設定されていないため、ステップＳ８３へ進む。
ステップＳ８３では、選択基準パラメータが設定されているため、ステップＳ８４へ進む。【００７７】
以下、ステップＳ８４において、選択基準パラメータに「ビジネス」が設定されている場合は、「ビジネス」に関連する用語「です。・ます。・お疲れ様・ご苦労様…」を用語辞書より取得し、この用語を含んだ減電メッセージをステップＳ８０で取得した複数の減電メッセージのうちから抽出する。すなわち、「電池がなくなったので、帰ったらメールします。」が抽出され、ステップＳ８３へ進む。その後は、ステップＳ８５、ステップＳ８７、ステップＳ８８を経て、再びステップＳ７２へ戻る。以上のような処理が行われると、表示部１２には画面１３１に示す通りに表示される。【００７８】
選択基準パラメータに「友達」が設定されている場合は、ステップＳ８４において、「友達」に関連する用語「だ。・よ。・…」を用語辞書より取得し、この用語を含んだ減電メッセージをステップＳ８０で取得した複数の減電メッセージのうちから抽出する。すなわち、「電池切れだ。またメールするよ。」が抽出され、表示部１２に１３２に示す通りに表示される。【００７９】
上述した処理が行われることにより、操作者は、相手先に応じた減電メッセージを選択する手間を省くことができる。【００８０】
続いて、図２、図１０、図１４を参照しながら、複数の減電メッセージのうちから減電メッセージ選択基準パラメータに応じた減電メッセージが抽出される処理を、電池状態がレベル低であり、文書入力形態がですます調に設定されている場合で説明する。
ここでは、選択基準設定に「時刻」、「外出」、「旅行」のいずれかが設定されている場合を場合分けして説明する。【００８１】
画面１４０は、登録された減電メッセージが表示部１２に表示された様子を示している。すなわち減電メッセージ辞書３３には、
「電池残量がないので、後程、連絡します。」、
「電池切れだ。またメールするよ。」、
「電池切れです。今、外出中なので、今晩、連絡します。」、
「電池切れです。お昼には連絡します。」、
「電池切れです。夜には連絡します。」、
「電池切れです。今、旅行中です。ホテルから連絡します。」が登録されている。【００８２】
予測変換制御部２６は、文字入力通知イベントが発生すると、ステップＳ７２、ステップＳ７３、ステップＳ７５、を経てステップＳ７７へ進み。ステップＳ７７でその文字入力に応じた変換候補を取得し、ステップＳ７８でその変換候補をＲＡＭ１９上に保持する。そして、ステップＳ７９を経て、ステップＳ８０で前述した減電メッセージを取得し、ステップＳ８１へ進む。【００８３】
文書入力形態は、ですます調であるため、ステップＳ８２で先の複数の減電メッセージよりですます調である減電メッセージ
「電池残量がないので、後程、連絡します。」、
「電池切れです。今、外出中なので、今晩、連絡します。」、
「電池切れです。お昼には連絡します。」、
「電池切れです。夜には連絡します。」、
「電池切れです。今、旅行中です。ホテルから連絡します。」
が抽出される。そして、ステップＳ８３へ進む。
ステップＳ８３では、選択基準パラメータが設定されているため、ステップＳ８４へ進む。【００８４】
以下、選択基準設定に「時刻」、「外出」、「旅行」が設定されている場合を場合分けして説明する。
選択基準に「時刻」が設定されている場合を説明する。ステップＳ８４において、選択基準パラメータに「時刻」が設定されている場合は、「時刻」に関連する用語「朝・昼・夜・正午・時・分…」を用語辞書より取得し、この用語を含んだ減電メッセージをステップＳ８２で抽出した複数の減電メッセージのうちから抽出する。すなわち、「電池切れです。お昼には連絡します。」、「電池切れです。夜には連絡します。」が抽出され、ステップＳ８３へ進む。その後は、ステップＳ８５、ステップＳ８７、ステップＳ８８を経て、再びステップＳ７２へ戻る。以上のような処理が行われると、表示部１２には画面１４１に示す通りに表示される。【００８５】
次に、選択基準に「外出」が設定されている場合を説明する。ステップＳ８４において、選択基準パラメータに「外出」が設定されている場合は、「外出」に関連する用語「外出・出先・直帰…」を用語辞書より取得し、この用語を含んだ減電メッセージをステップＳ８２で抽出した複数の減電メッセージのうちから抽出する。すなわち、「電池切れです。今、外出中なので、今晩、連絡します。」が抽出され、ステップＳ８３へ進む。その後は、ステップＳ８５、ステップＳ８７、ステップＳ８８を経て、再びステップＳ７２へ戻る。以上のような処理が行われると、表示部１２には画面１４２に示す通りに表示される。【００８６】
最後に、選択基準に「旅行」が設定されている場合を説明する。ステップＳ８４において、選択基準パラメータに「旅行」が設定されている場合は、「旅行」に関連する用語「旅行・バケーション・バカンス・ホテル・旅館…」を用語辞書より取得し、この用語を含んだ減電メッセージをステップＳ８２で抽出した複数の減電メッセージのうちから抽出する。すなわち、「電池切れです。今、外出中なので、今晩、連絡します。」が抽出され、ステップＳ８３へ進む。その後は、ステップＳ８５、ステップＳ８７、ステップＳ８８を経て、再びステップＳ７２へ戻る。以上のような処理が行われると、表示部１２には画面１４３に示す通りに表示される。【００８７】
図１、図１０、図１５を参照して、電池残量に応じて減電メッセージの候補位置を変えて表示する場合を説明する。図１５は、電池残量に応じて減電メッセージの候補位置を変えて表示する様子を示す図である。
ステップＳ８５において、減電状態レベルが残量中である場合は、減電メッセージを２番目以降の候補に設定し（ステップＳ８６）、文字列編集部２３に候補取得通知を行い（ステップＳ８８）、画面１５０で示す通りに文字列編集部２３が画面表示を行う。画面１５０では、減電メッセージを変換候補表示領域１２Ｂの最後に表示されるように調整している。
減電状態レベルが残量中の場合は、減電メッセージを急いで選択する必要がなく、候補の最後に設定している。また、この場合、減電メッセージが候補に表示されるため、操作者は、長文のメール作成が困難であることを知ることができる。【００８８】
ステップＳ８５において、減電状態レベルが残量中でない場合、すなわち、残量小の場合は、減電メッセージを先頭候補に設定し（ステップＳ８７）、文字列編集部２３に候補取得通知を行い（ステップＳ８８）、画面１５１に示す通りに文字列編集部２３が画面表示を行う。
減電状態レベルが残量小の場合は、メール作成にかけられる時間が残量中の場合と比較して僅かであるため、すぐに選択可能な位置である候補欄の先頭に表示している。
このように電池残量に応じて減電メッセージの表示位置を変化させて表示することにより、操作者は、電池残量に応じたメールの作成をすることができる。【００８９】
図２、図１６を参照して、減電メッセージを選択したのちにおけるメール本文の調整処理を説明する。図１６は、メール本文の調整処理が行われる様子を示す図である。
例えば、画面１６０に示すような場合において、減電メッセージを選択した場合は、画面１６１に示す通り、作成中の文章にそのまま減電メッセージが挿入されてしまい、メールの内容がつながらないような場合がある。
そこで、減電メッセージが選択された場合は、文字列編集部２３によってメール本文の文頭から入力途中までを削除して、画面１６２に示す通り、減電メッセージを表示するようにしても良い。また、文書解析部２８によって入力中の文の最後の読点を捜させ、画面１６３に示す通り、最後の読点以降を削除して減電メッセージを表示するようにしても良い以上のような処理をすることにより、メールの本文が意味のあるまとまった文章とすることができる。【００９０】
なお、複数の減電メッセージのうちから減電メッセージ選択基準パラメータに応じた減電メッセージを抽出する処理について、選択基準パラメータに関連する用語を用語辞書から取得してその用語を含んだ減電メッセージを取得する方法で説明したがこれに限定されるものではない。例えば、減電メッセージを選択パラメータに関連付けして登録しておき、予測変換制御部２６は、選択基準パラメータが設定されると、選択基準パラメータに関連する減電メッセージを抽出するようにしても良い。
【符号の説明】
【００９１】
１…携帯電話機、１１…入力部、１１Ａ…文字キー、１１Ｂ…選択キー、１１Ｃ…確定キー、１２…表示部、１２Ａ…文書表示部、１２Ｂ…変換候補表示部、１３…マイク、１４…スピーカ、１５…ＣＰＵ、１６…記憶部、１７…電池、１８…ＲＯＭ、１９…ＲＡＭ、２１…通信部、２２…メール部、２３…文字列編集部、２４…電池残量計測部、２５…電池残量判定部、２６…予測変換制御部、２７…減電メッセージ登録部、２８…文書解析部、２９…アドレス帳設定部、３０…スケジュール帳設定部、３１…パラメータ設定部、３２…かな漢字変換辞書、３３…減電メッセージ辞書。
【図１】
0005492294.tif 000002
【図２】
0005492294.tif 000003
【図３】
0005492294.tif 000004
【図４】
0005492294.tif 000005
【図５】
0005492294.tif 000006
【図６】
0005492294.tif 000007
【図７】
0005492294.tif 000008
【図８】
0005492294.tif 000009
【図９】
0005492294.tif 000010
【図１０】
0005492294.tif 000011
【図１１】
0005492294.tif 000012
【図１２】
0005492294.tif 000013
【図１３】
0005492294.tif 000014
【図１４】
0005492294.tif 000015
【図１５】
0005492294.tif 000016
【図１６】
0005492294.tif 000017